(57)【要約】【課題】  再生するコンテンツデータの選択を、ユーザの操作状態を反映させて行うことができるデータ処理方法を提供する。【解決手段】  選曲画面を階層構造で規定する。再生指示を受けると、選曲画面内でカーソルが位置する分類項目に属する１つ下層の項目をユニットとして決定し、当該ユニットを単位としてシャッフル再生する。【選択図】  図５
2006252598.tif 000002
【特許請求の範囲】
【請求項１】
コンテンツデータが持つ複数の属性の各々について、前記コンテンツデータを分類するための複数の分類項目が規定され、前記属性および前記分類項目を基に前記コンテンツデータを検索するための検索画面を表示するデータ処理方法であって、
前記属性および前記分類項目を階層構造で規定し、各階層において、当該階層に対応付けられた前記属性に規定された前記複数の分類項目から任意の分類項目を指定操作させる前記検索画面を表示する第１の工程と、
前記第１の工程で表示した前記検索画面内の前記分類項目が前記指定操作で指定された状態で再生指示を受けると、前記階層構造において当該指定された分類項目を特定し、当該特定した分類項目の下層に割り当てられた前記コンテンツデータを再生する第２の工程と
を有するデータ処理方法。
【請求項２】
前記第１の工程は、表示中の前記検索画面内の前記分類項目が前記指定操作で指定された状態で下位階層移動指示を受けると、当該指定された分類項目の属性を継承し、且つ当該表示中の検索画面に対応付けられた属性と異なる属性に対応する複数の分類項目を示す新たな検索画面を表示する
請求項１に記載のデータ処理方法。
【請求項３】
前記第２の工程は、前記指定された分類項目の下層に割り当てられた複数の分類項目をシャッフルパターンで順に選択し、当該選択した分類項目に属する前記コンテンツデータを予め決められた順に再生する第１のシャッフル処理を行う
請求項１に記載のデータ処理方法。
【請求項４】
前記第２の工程は、前記指定された分類項目の下層に割り当てられた複数の分類項目を予め決められた順で選択し、当該選択した分類項目に属する前記コンテンツデータをシャッフルパターンで順に選択して再生する第２のシャッフル処理を行う
請求項１に記載のデータ処理方法。
【請求項５】
前記第２の工程は、前記指定された分類項目の下層に割り当てられた複数の分類項目をシャッフルパターンで順に選択し、当該選択した分類項目に属する前記コンテンツデータをシャッフルパターンで順に選択して再生する第３のシャッフル処理を行う
請求項１に記載のデータ処理方法。
【請求項６】
第１の再生モード（ユニット）と第２の再生モードとの何れが選択されているかを判断する第３の工程
をさらに有し、
前記第２の工程は、
所定のメモリに記憶されている前記コンテンツデータを読み出して再生し、
前記第３の工程で前記第１の再生モードが選択されていると判断した場合に、前記再生指示を入力すると、前記第１のシャッフル処理を行い、
前記第３の工程で前記第２の再生モードが選択されていると判断した場合に、前記メモリに記憶されている全ての前記コンテンツデータをシャッフルパターンで順に選択して再生する第４のシャッフル処理、あるいは、前記メモリに記憶されている全てのコンテンツデータについて予め決められた所定の属性に対して規定された複数の分類項目をシャッフルパターンで順に選択して再生する第５のシャッフル処理を行う
請求項３に記載のデータ処理方法。
【請求項７】
前記第２の工程は、前記階層の最上位層として、ジャンル、アーティスト、アルバム、曲、曲名検索、プレイリストのうち少なくとも２つを前記分類項目として示す前記検索画面を表示する
請求項１に記載のデータ処理方法。
【請求項８】
所定の操作ボタンが操作されると、当該操作時の条件により、
前記第１の再生モードと第２の再生モードとを切り替える設定画面への移行を選択させるためのメニュー画面を表示する第１の処理と、
前記階層の最上位層として、ジャンル、アーティスト、アルバム、曲、曲名検索、プレイリストのうち少なくとも２つを前記項目として示す検索画面を表示する第２の処理と
を選択的に行う第３の工程
をさらに有する請求項６に記載のデータ処理方法。
【請求項９】
コンテンツデータが持つ複数の属性の各々について、前記コンテンツデータを分類するための複数の分類項目が規定され、前記属性および前記分類項目を基に前記コンテンツデータを検索するための検索画面を表示する電子機器であって、
前記属性および前記分類項目を階層構造で規定し、各階層において、当該階層に対応付けられた前記属性に規定された前記複数の分類項目から任意の分類項目を指定操作させる前記検索画面を表示し、当該表示した前記検索画面内の前記分類項目が前記指定操作で指定された状態で再生指示を受けると、前記階層構造において当該指定された分類項目を特定し、当該特定した分類項目の下層に割り当てられた前記コンテンツデータを再生する処理手段
を有する電気機器。
【請求項１０】
コンテンツデータが持つ複数の属性の各々について、前記コンテンツデータを分類するための複数の分類項目が規定され、前記属性および前記分類項目を基に前記コンテンツデータを検索するための検索画面を表示する電子機器であって、
複数のコンテンツデータを記憶する記録媒体と、
ディスプレイと、
操作手段と、
前記属性および前記分類項目を階層構造で規定し、各階層において、当該階層に対応付けられた前記属性に規定された前記複数の分類項目から任意の分類項目を指定操作させる前記検索画面を前記ディスプレイに表示し、当該表示した前記検索画面内の前記分類項目が前記操作手段による前記指定操作で指定された状態で再生指示を受けると、前記階層構造において当該指定された分類項目を特定し、当該特定した分類項目の下層に割り当てられた前記コンテンツデータを前記メモリから読み出して再生する処理手段と
を有する電子機器。
【請求項１１】
コンテンツデータが持つ複数の属性の各々について、前記コンテンツデータを分類するための複数の分類項目が規定され、前記属性および前記分類項目を基に前記コンテンツデータを検索するための検索画面を表示する電子機器が実行するプログラムであって、
前記属性および前記分類項目を階層構造で規定し、各階層において、当該階層に対応付けられた前記属性に規定された前記複数の分類項目から任意の分類項目を指定操作させる前記検索画面を表示する第１の手順と、
前記第１の手順で表示した前記検索画面内の前記分類項目が前記指定操作で指定された状態で再生指示を受けると、前記階層構造において当該指定された分類項目を特定し、当該特定した分類項目の下層に割り当てられた前記コンテンツデータを再生する第２の手順と
を有するプログラム。
【発明の詳細な説明】
【技術分野】
【０００１】
本発明は、コンテンツデータの検索画面を表示するデータ処理方法、電子機器およびプログラムに関する。
【背景技術】
【０００２】
近年、ＨＤＤ(Hard Disk Drive)などの記録メディアの大容量化、小型化、並びに音楽、動画、静止画などのコンテンツデータの圧縮技術の発達により、携帯型再生装置やパーソナルコンピュータなどの電子機器内の記録メディアに膨大な数のコンテンツデータを記憶できる。
このような電子機器は、例えば、シャッフル機能を備えており、シャッフルモードが指定されると、記録メディアに記録されているコンテンツデータをランダムに（シャッフルパターンで）読み出して再生する。
従来の電子機器では、シャッフルモードが指定されると、検索画面の状態や再生中のコンテンツデータを考慮することなく、記録メディアに記録されている全てのコンテンツデータを対象としてシャッフル再生を行っている。
【０００３】
【特許文献１】特開２００１−７６４１５号公報
【発明の開示】
【発明が解決しようとする課題】
【０００４】
ところで、上述した電子機器では、記録メディアの大容量化に伴い、ユーザが使用時に興味を失った多数のコンテンツデータが記録メディアに記録されている可能性が高い。
このような場合に、上述した従来の電子機器のように、記録メディアに記録されている全てのコンテンツデータを対象にシャッフル再生を行うと、ユーザが興味を失ったコンテンツデータが多数、再生される可能性が高い。
同様の問題は、シャッフル機能以外に、特定のコンテンツデータをユーザが明示して指定しないで、電子機器が自動的にコンテンツデータを選択して再生するモードにおいても生じる。
【０００５】
本発明は上述した従来技術の問題点を解決するために、再生するコンテンツデータの自動選択を、ユーザの操作状態を反映させて行うことができるデータ処理方法、電子機器およびプログラムを提供することを目的とする。
【課題を解決するための手段】
【０００６】
上述した従来技術の問題点を解決し、上述した目的を達成するため、第１の観点の発明のデータ処理方法は、コンテンツデータが持つ複数の属性の各々について、前記コンテンツデータを分類するための複数の分類項目が規定され、前記属性および前記分類項目を基に前記コンテンツデータを検索するための検索画面を表示するデータ処理方法であって、前記属性および前記分類項目を階層構造で規定し、各階層において、当該階層に対応付けられた前記属性に規定された前記複数の分類項目から任意の分類項目を指定操作させる前記検索画面を表示する第１の工程と、前記第１の工程で表示した前記検索画面内の前記分類項目が前記指定操作で指定された状態で再生指示を受けると、前記階層構造において当該指定された分類項目を特定し、当該特定した分類項目の下層に割り当てられた前記コンテンツデータを再生する第２の工程とを有する。
【０００７】
第２の観点の発明の電子機器は、コンテンツデータが持つ複数の属性の各々について、前記コンテンツデータを分類するための複数の分類項目が規定され、前記属性および前記分類項目を基に前記コンテンツデータを検索するための検索画面を表示する電子機器であって、前記属性および前記分類項目を階層構造で規定し、各階層において、当該階層に対応付けられた前記属性に規定された前記複数の分類項目から任意の分類項目を指定操作させる前記検索画面を表示し、当該表示した前記検索画面内の前記分類項目が前記指定操作で指定された状態で再生指示を受けると、前記階層構造において当該指定された分類項目を特定し、当該特定した分類項目の下層に割り当てられた前記コンテンツデータを再生する処理手段を有する。
【０００８】
第２の観点の発明の電子機器の作用は以下のようになる。
処理手段が、コンテンツデータの属性および分類項目を階層構造で規定し、各階層において、当該階層に対応付けられた前記属性に規定された前記複数の分類項目から任意の分類項目を指定操作させる前記検索画面を表示する。
そして、前記処理手段が、前記表示した前記検索画面内の前記分類項目が前記指定操作で指定された状態で再生指示を受けると、前記階層構造において当該指定された分類項目を特定する。
そして、前記処理手段が、前記特定した分類項目の下層に割り当てられた前記コンテンツデータを再生する。
【０００９】
第３の観点の発明の電気機器は、コンテンツデータが持つ複数の属性の各々について、前記コンテンツデータを分類するための複数の分類項目が規定され、前記属性および前記分類項目を基に前記コンテンツデータを検索するための検索画面を表示する電子機器であって、複数のコンテンツデータを記憶する記録媒体と、ディスプレイと、操作手段と、前記属性および前記分類項目を階層構造で規定し、各階層において、当該階層に対応付けられた前記属性に規定された前記複数の分類項目から任意の分類項目を指定操作させる前記検索画面を前記ディスプレイに表示し、当該表示した前記検索画面内の前記分類項目が前記操作手段による前記指定操作で指定された状態で再生指示を受けると、前記階層構造において当該指定された分類項目を特定し、当該特定した分類項目の下層に割り当てられた前記コンテンツデータを前記メモリから読み出して再生する処理手段とを有する。
【００１０】
第３の観点の発明の電子機器の作用は以下のようになる。
処理手段が、コンテンツデータの属性および分類項目を階層構造で規定し、各階層において、当該階層に対応付けられた前記属性に規定された前記複数の分類項目から任意の分類項目を指定操作させる前記検索画面をディスプレイに表示する。
そして、前記処理手段が、前記表示した前記検索画面内の前記分類項目が操作手段による前記指定操作で指定された状態で再生指示を受けると、前記階層構造において当該指定された分類項目を特定する。
そして、前記処理手段が、前記特定した分類項目の下層に割り当てられた前記コンテンツデータをメモリから読み出して再生する。
【００１１】
第４の観点の発明のプログラムは、コンテンツデータが持つ複数の属性の各々について、前記コンテンツデータを分類するための複数の分類項目が規定され、前記属性および前記分類項目を基に前記コンテンツデータを検索するための検索画面を表示する電子機器が実行するプログラムであって、前記属性および前記分類項目を階層構造で規定し、各階層において、当該階層に対応付けられた前記属性に規定された前記複数の分類項目から任意の分類項目を指定操作させる前記検索画面を表示する第１の手順と、前記第１の手順で表示した前記検索画面内の前記分類項目が前記指定操作で指定された状態で再生指示を受けると、前記階層構造において当該指定された分類項目を特定し、当該特定した分類項目の下層に割り当てられた前記コンテンツデータを再生する第２の手順とを有する。
【発明の効果】
【００１２】
本発明によれば、再生するコンテンツデータの自動選択を、ユーザの操作状態を反映させて行うことができるデータ処理方法、電子機器およびプログラムを提供することができる。
【発明を実施するための最良の形態】
【００１３】
以下、本発明の実施形態を説明する。
先ず、本実施形態の構成要素と、本発明の構成要素との対応関係を説明する。
図１に示すプログラムＰＲＧが第４の発明のプログラムに対応している。
また、ＨＤＤ１３に記憶されている楽曲データが、本発明のコンテンツデータに対応している。
また、図５等に示すジャンル、アーティスト、アルバム、曲、プレイリスト等が本発明の属性に対応し、図７および図８に示す選曲画面Ｄ１１に表示する分類項目が本発明の分類項目に対応している。
また、本実施形態の選曲画面Ｄ１１等が本発明の検索画面に対応している。
また、図９に示すステップＳＴ１１が第１の観点の発明の第１の工程、並びに第４の観点の発明の第１の手順に対応している。
また、図９に示すステップＳＴ１４、並びに図１０に示す処理が第１の観点の発明の第２の工程、並びに第４の観点の発明の第２の手順に対応している。
また、図１１に示すステップＳＴ１３が、第１の観点の発明の第３の工程に対応している。
また、図１に示すＨＤＤ１３が本発明の記録媒体に対応し、ＬＣＤパネル１４が本発明のディスプレイに対応し、入力デバイス１５が本発明の操作手段に対応し、ＣＰＵ１７が本発明の処理手段に対応している。
また、選曲画面Ｄ１上での上、下、右、左十字キー２７ａ，ｂ，ｃ，ｄを用いたカーソル移動（位置）によって本発明の指定操作および下位階層移動指示が行われ、十字決定キー２７ｅの押下によって本発明の再生指示が出される。
【００１４】
以下、本発明の実施形態に係わるデータ処理装置について説明する。
図１は、本発明の実施形態に係わるデータ処理装置１の構成図である。
データ処理装置１は、例えば、携帯型のオーディオ再生装置である。
図１に示すように、データ処理装置１は、例えば、ＵＳＢ(Universal Serial Bus)インタフェース１１、ＳＤＲＡＭ(Synchronous DRAM)１２、ＨＤＤ(Hard Disk Drive) １３、ＬＣＤ(Liquid Crystal Display)パネル１４、入力デバイス１５、フラッシュメモリ１６、ＣＰＵ(Central Processing Unit) １７およびオーディオ出力回路１８を有する。
ＵＳＢインタフェース１１、ＳＤＲＡＭ１２、ＨＤＤ１３、フラッシュメモリ１６、ＣＰＵ１７およびオーディオ出力回路１８は、例えば、データ線１０を介して接続されている。
【００１５】
ＵＳＢインタフェース１１は、パーソナルコンピュータ３と接続され、パーソナルコンピュータ３との間でデータ入出力を行う。
ＳＤＲＡＭ１２は、ＣＰＵ１７の処理に係わるデータ等を一時的に記憶する。
【００１６】
ＨＤＤ１３は、圧縮された楽曲データ（音楽データ）を記憶する。
当該楽曲データは、ＵＳＢインタフェース１１を介してパーソナルコンピュータ３からＨＤＤ１３に書き込まれる。
ＨＤＤ１３は、例えば、２０ＧＢの記憶容量を有し、ＡＴＲＡＣ(Adaptive Transform Acoustic Coding)３等で圧縮された約１００００曲（コンパクトディスク７００枚分）の楽曲データを記憶可能である。
ＨＤＤ１３に記憶された１曲分の楽曲データ（以下、単に楽曲データとも記す）の各々には、そのジャンル、アーティスト、アルバム、曲名、プレイリストなどの属性（属性データ）が付されている。
ジャンル属性は、楽曲データの楽曲が属するジャンルを示している。
ア−ティスト属性は、楽曲データの楽曲を演奏等するアーティストを示している。
アルバム属性は、楽曲データが属するアルバムを示している。
曲名属性は、楽曲データの曲名を示している。
プレイリストは、ユーザが決めた楽曲データの群を示している。
【００１７】
ＬＣＤパネル１４は、図２（Ｂ）に示すように、データ処理装置１の筐体の正面に設けられている。
ＬＣＤパネル１４には、ＣＰＵ１７によって種々の画面が表示される。
ＬＣＤパネル１４に表示される主な画面としては、例えば、図３に示すように、メイン画面Ｄ０、選曲画面Ｄ１、設定画面Ｄ２および再生画面Ｄ３があり、ユーザのキー操作に応じてこれらの画面が切り替わる（遷移する）。
【００１８】
メイン画面Ｄ０は、例えば、図４に示すように、曲検索（選曲）、編集、各種設定、再生画面表示などの項目を表示し、ユーザが項目を選択することで、当該選択された項目に対応付けられた画面が表示される。
選曲画面Ｄ１は、例えば、メイン画面Ｄ０において曲検索の項目が選択された場合に表示され、最上位階層の選曲画面である。
選曲画面Ｄ１は、例えば、図４に示すように、ジャンル、アーティスト、アルバム、曲、曲名検索、プレイリストなどの分類項目を表示する。当該分類項目が選択された場合の処理は後に詳細に説明する。
【００１９】
設定画面Ｄ２は、メイン画面Ｄ０において各種設定の項目が選択された場合に表示される。
設定画面Ｄ２は、リピート、ユニットおよび再生（プレイ）モードなどの項目を表示する。
リピートの項目は、ユーザの操作に応じてリピート再生機能をオンあるいはオフに設定するために用いられる。
ユニットの項目は、ユーザの操作に応じてユニット再生機能をオンあるいはオフに設定するために用いられる。
再生モードは、ユーザの操作に応じて、通常再生、１曲再生、曲シャッフル、マルチシャッフルを設定するために用いられる。
【００２０】
再生画面Ｄ３は、選曲画面Ｄ１を基にユーザが選曲した楽曲データを再生中に表示される画面であり、図４に示すように、再生中の楽曲データのタイトル、アルバム、アーティスト、ジャンルなどの情報を表示する。
【００２１】
図１に示す入力デバイス１５は、データ処理装置１の筐体に設けられ、ユーザによって操作される種々のキーである。
入力デバイス１５としては、例えば、図２（Ａ），図２（Ｂ），図２（Ｃ）に示すように、リモコン端子２９、ＭＯＤＥキー２５、ＶＯＬＵＭＥキー２６ａ，２６ｂ、十字キー２７、ＳＥＲＣＨ／ＭＥＮＵキー２８、ＳＴＯＰキー２９およびＨＯＬＤキー３０がある。
【００２２】
ＭＯＤＥキー２５は、例えば、図４に示す設定画面Ｄ２において、リピート、ユニットおよび再生モードの各々において、複数のモードから１つのモードを選択するために用いられる。
ＶＯＬＵＭＥキー２６ａ，２６ｂは、音量をアップ、ダウンするために用いられる。
十字キー２７には、十字右キー２７ａ，十字左キー２７ｂ、十字上キー２７ｃ、十字下キー２７ｄおよび十字決定キー２７ｅがある。
十字右キー２７ａおよび十字左キー２７ｂは、例えば、後述するように、選曲画面Ｄ１の階層を切り換える際に用いられる。また、曲の頭出しや早送り／早戻しにも用いられる。
十字上キー２７ｃおよび十字下キー２７ｄは、選曲画面Ｄ１および設定画面Ｄ２上でカーソルを上下方向に移動させるために用いられる。
十字決定キー２７ｅは、カーソルが位置する項目を選択（決定）したり、再生指示を入力するために用いられる。
ＳＥＲＣＨ／ＭＥＮＵキー２８は、例えば、短押しにより第１階層の選曲画面Ｄ１を表示する指示を入力ために用いられ、長押しによりメニュー画面を表示する指示を入力するために用いられる。
【００２３】
フラッシュメモリ１６は、例えば、ＣＰＵ１７の動作を規定したプログラムＰＲＧを記憶する。
ＣＰＵ１７は、フラッシュメモリ１６から読み出したプログラムＰＲＧを基に、データ処理装置１の動作を統括的に制御する、すなわち本実施形態で説明する処理を行う。
ＣＰＵ１７は、図４に示すメイン画面Ｄ０、選曲画面Ｄ１、設定画面Ｄ２および再生画面Ｄ３をＬＣＤパネル１４に表示する処理を行う。
また、ＣＰＵ１７は、選択された楽曲データをＨＤＤ１３から読み出して復号し、これを再生する処理を行う。
【００２４】
オーディオ出力回路１８は、ＣＰＵ１７が復号した楽曲データに応じたオーディオ信号をヘッドフォン端子２１に出力する。
【００２５】
以下、図４に示す選曲画面Ｄ１について説明する。
選曲画面Ｄ１として、複数の異なる属性（楽曲データに関しての属性）の各々について規定され、当該属性について規定された複数の分類項目を表示して選択させる第１階層の複数の選曲画面Ｄ０１が規定されている。
また、選曲画面Ｄ１として、上記第１階層の選曲画面の各々について、第２階層以下の選曲画面が規定されている。
第２階層以下の選曲画面は、その上層の選曲画面の各分類項目毎に規定され、当該分類項目に対応した前記属性以外の前記属性を基に、当該分類項目に属する楽曲データを分類するための複数の分類項目を有する。
【００２６】
図５は、選曲画面Ｄ１の階層構造を説明するための図である。
図５に示すように、第１階層として、図４に示す選曲画面Ｄ１の各分類項目（ジャンル、アーティスト、アルバム、曲、曲名検索、プレイリスト）が規定される。
また、第１階層のジャンルの下層の第２階層としてジャンル一覧が規定され、その下層の第３階層としてアーティスト一覧が規定され、その下層の第４階層としてアルバム一覧が規定され、その下層の第５階層として曲一覧が規定されている。
【００２７】
また、第１階層のアーティストの下層の第２階層としてアーティスト一覧が規定され、その下層の第３階層としてアルバム一覧が規定され、その下層の第４階層として曲一覧が規定されている。
また、第１階層のアルバムの下層の第２階層としてアルバム一覧が規定され、その下層の第３階層として曲一覧が規定されている。
また、第１階層の曲および曲名検索の下層の第２階層としてそれぞれ曲一覧が規定されている。
また、第１階層のプレイリストの下層の第２の階層としてプレイリスト一覧が規定され、その下層の第３階層として曲一覧が規定されている。
【００２８】
図５に示す階層構造では、上述したように、異なる階層間で相互に異なる前記属性が割り当てられ、各階層において、当該階層に割り当てられた前記属性を基に楽曲データを分類するための複数の分類項目が規定され、各階層に規定された複数の分類項目が、当該階層の上位の階層内の対応する分類項目の前記属性を継承する。
【００２９】
ＣＰＵ１７は、ＭＯＤＥキー２５、十字キー２７およびＳＥＲＣＨ／ＭＥＮＵキー２８を用いたユーザの操作に応じて、図５に示す階層構造に従って状態遷移を行い、遷移後の状態に対応付けられた階層の選曲画面をＬＣＤパネル１４に表示する。
【００３０】
図６および図７は、図５に示す各階層の選曲画面Ｄ１を説明するための図である。
先ず、ユーザが、図２に示すＳＥＲＣＨ／ＭＥＮＵキー２８を短押しすると、ＣＰＵ１７は、図６に示す第１階層の選曲画面Ｄ０１（Ｄ１）をＬＣＤパネル１４に表示する。
【００３１】
本実施形態において、図６および図７等に示す選曲画面の遷移は、例えば、ユーザが図２に示す十字キー２７を操作して、選曲画面内のカーソルを移動することによって実現される。
図６に示す選曲画面Ｄ０１においてジャンルが選択されると、ＣＰＵ１７は、ジャンル一覧を示す選曲画面Ｄ１１をＬＣＤパネル１４に表示する。
選曲画面Ｄ１１には、予め決められた複数のジャンルＡ，Ｂ，Ｃ，Ｄが分類項目として表示される。
また、図７に示すように、選曲画面Ｄ１１において、ジャンルＣ（例えばアーティストのジャンル）の分類項目が選択されると、ＣＰＵ１７は、当該選択されたジャンルに属するアーティストの一覧を示す選曲画面Ｄ２１をＬＣＤパネル１４に表示する。
また、図７に示すように、選曲画面Ｄ２１において、アーティストＣ（例えばアルバムのジャンル）の分類項目が選択されると、ＣＰＵ１７は、当該選択されたアーティストに属するアルバムの一覧を示す選曲画面Ｄ３１をＬＣＤパネル１４に表示する。
また、図７に示すように、選曲画面Ｄ３１において、アルバムＣ（例えば曲一覧のジャンル）の分類項目が選択されると、ＣＰＵ１７は、当該選択されたアルバムに属する楽曲名（曲名）の一覧を示す選曲画面Ｄ４１をＬＣＤパネル１４に表示する。
【００３２】
また、図６に示す選曲画面Ｄ０１においてアーティストの分類項目が選択されると、ＣＰＵ１７は、アーティスト一覧を示す選曲画面Ｄ１２をＬＣＤパネル１４に表示する。
選曲画面Ｄ１２には、ＨＤＤ１３に記憶されている全ての楽曲データのアーティスト名Ａ，Ｂ，Ｃ，Ｄが分類項目として表示される。
また、図７に示すよう、選曲画面Ｄ１２において、アーティストＣの分類項目が選択されると、ＣＰＵ１７は、当該選択されたアーティストに属するアルバムの一覧を示す選曲画面Ｄ２２をＬＣＤパネル１４に表示する。
また、図７に示すよう、選曲画面Ｄ２２において、アルバムＣの分類項目が選択されると、ＣＰＵ１７は、当該選択されたアルバムに属する楽曲名（曲名）の一覧を示す選曲画面Ｄ３２をＬＣＤパネル１４に表示する。
【００３３】
また、図６に示す選曲画面Ｄ０１においてアルバムが選択されると、ＣＰＵ１７は、アルバム一覧を示す選曲画面Ｄ１３をＬＣＤパネル１４に表示する。
選曲画面Ｄ１３には、ＨＤＤ１３に記憶されている全ての楽曲データのアルバム名Ａ，Ｂ，Ｃ，Ｄが分類項目として表示される。
また、図７に示すよう、選曲画面Ｄ１３において、アルバムＣの分類項目が選択されると、ＣＰＵ１７は、当該選択されたアルバムに属する楽曲名（曲名）の一覧を示す選曲画面Ｄ２３をＬＣＤパネル１４に表示する。
【００３４】
また、図６に示す選曲画面Ｄ０１においてプレイリストが選択されると、ＣＰＵ１７は、プレイリスト一覧を示す選曲画面Ｄ１４をＬＣＤパネル１４に表示する。
選曲画面Ｄ１４には、ユーザが指定したプレイリストＡ，Ｂ，Ｃ，Ｄが分類項目として表示される。
また、図６に示す選曲画面Ｄ１４においてプレイリストＣの項目が選択されると、ＣＰＵ１７は、当該選択されたプレイリストに属する楽曲名（曲名）の一覧を示す選曲画面Ｄ２４をＬＣＤパネル１４に表示する。
【００３５】
また、ＣＰＵ１７は、曲一覧を示す選曲画面Ｄ４１，Ｄ３２，Ｄ２３，Ｄ２４において、曲が選択されると、当該選択された曲の楽曲データをＨＤＤ１３から読み出して再生処理し、オーディオ出力回路１８に出力する。
【００３６】
以下、図４に示す設定画面Ｄ２によって設定（選択）されるユニット、リピート、並びに再生モードについて説明する。
ＣＰＵ１７は、例えば、図５〜図７を用いて説明した各階層の選曲画面Ｄ１をＬＣＤパネル１４に表示中に、図２に示す十字決定キー２７ｅが押下された場合に、当該表示中の選曲画面Ｄ１内でカーソルが位置する項目に属する１つ下層の項目をユニットとして決定する。
本実施形態では、ユニットを単位とした再生を行うか否かを、図４に示す設定画面Ｄ２内のユニットの項目を用いてユーザが設定する。
【００３７】
ＣＰＵ１７は、リピートオン且つユニットオンの状態で十字決定キー２７ｅが押下されると（再生指示を受けると）、ユニット内の項目を、再生モードに応じたパターンで順に選択して再生する処理を繰り返す（リピート再生を行う）。
ＣＰＵ１７は、リピートオン且つユニットオフの状態で十字決定キー２７ｅが押下されると、予め決められた楽曲データあるいは楽曲データ群を、再生する処理を繰り返す（リピート再生を行う）。
ＣＰＵ１７は、リピートオフ且つユニットオンの状態で十字決定キー２７ｅが押下されると、ユニット内の項目を、再生モードに応じたパターンで順に選択して再生する処理を１回だけ行う。
ＣＰＵ１７は、リピートオフ且つユニットオフの状態で十字決定キー２７ｅが押下されると、予め決められた楽曲データあるいは楽曲データ群を、再生する処理を１回だけ行う。
【００３８】
図８は、再生モード、ユニットオン・オフ、並びにリピートオン・オフのそれぞれの組み合わせにおける再生処理を説明するための図である。
本実施形態において、再生モードとしては、通常再生、１曲再生、曲シャッフル、並びにマルチシャッフルが規定され、図４に示す設定画面Ｄ２の再生モードの項目を用いて、ユーザが設定する。
【００３９】
以下、本実施形態のデータ処理装置１の動作例を、図１に示すＣＰＵ１７の処理と関連付けて説明する。
［再生動作例］
本動作例では、選曲画面Ｄ１を表示中に十字決定キー２７ｅが押下された場合のＣＰＵ１７の動作例を説明する。
図９は、当該動作例を説明するための図である。
以下、図９に示す各ステップを説明する。
ステップＳＴ１１：
ＣＰＵ１７は、例えば、図２に示すＳＥＲＣＨ／ＭＥＮＵキー２８が短押しされたことを検出すると、図６に示す最上位階層の選曲画面Ｄ０１を表示し、その後のユーザによる十字キー２７の操作に応じて、各階層の選曲画面をＬＣＤパネル１４に表示する。
【００４０】
ステップＳＴ１２：
ＣＰＵ１７は、選曲画面を表示中に十字決定キー２７ｅが押下されたことを検出するとステップＳＴ１３に進む。
ステップＳＴ１３：
ＣＰＵ１７は、ユニットがオンに設定されているかを判断し、ユニットがオンに設定されていると判断するとステップＳＴ１４に進み、そうでない場合にはステップＳＴ１５に進む。
【００４１】
ステップＳＴ１４：
ＣＰＵ１７は、後述するように、ステップＳＴ１２で十字決定キー２７ｅが押下されたときに、表示中の選曲画面Ｄ１内でカーソルが位置する分類項目に属する１つ下層の分類項目をユニットとして決定し、当該ユニットを基に、ＨＤＤ１３から楽曲データを読み出して再生処理する。
ステップＳＴ１５：
ＣＰＵ１７は、後述するように、予め決められたパターンを基に、ＨＤＤ１３から楽曲データを読み出して再生処理する。
【００４２】
［ユニットオンの場合の再生動作例］
図１０は、図９に示すステップＳＴ１４の動作例を説明するための図である。
以下、図１０に示す各ステップについて説明する。
ステップＳＴ２１：
ＣＰＵ１７は、例えば、図５〜図７を用いて説明した各階層の選曲画面Ｄ１をＬＣＤパネル１４に表示中に、図２に示す十字決定キー２７ｅが押下された場合に、当該表示中の選曲画面Ｄ１内でカーソルが位置する分類項目に属する１つ下層の項目をユニットとして決定する。
例えば、ＣＰＵ１７は、図７に示す選曲画面Ｄ１１を表示中に十字決定キー２７ｅが押下されると、選曲画面Ｄ１１においてカーソルが位置するジャンルＣの下層のアーティストＡ，Ｂ，Ｃ，Ｄをユニットとして特定（決定）する。
【００４３】
ステップＳＴ２２：
ＣＰＵ１７は、再生モードとして通常再生が選択されているか否かを判断し、通常再生が選択されていると判断するとステップＳＴ２３に進み、そうでない場合にはステップＳＴ２４に進む。
ステップＳＴ２３：
ＣＰＵ１７は、ステップＳＴ２１で特定したユニット内の楽曲データを予め決められた順に選択し、当該選択した順に再生する。
また、ＣＰＵ１７は、上記選択したユニットの１つ下層が楽曲データでない場合には、当該１つ下層の分類項目を順に選択し、当該選択したユニット内の楽曲データを順に選択して再生する。
ＣＰＵ１７は、リピートがオンの場合には上記再生処理を繰り返し、リピートがオフの場合には上記一連の再生処理を１回のみ行う。
【００４４】
ステップＳＴ２４：
ＣＰＵ１７は、再生モードとして１曲再生が選択されているか否かを判断し、１曲再生が選択されていると判断するとステップＳＴ２５に進み、そうでない場合にはステップＳＴ２６に進む。
ステップＳＴ２５：
ＣＰＵ１７は、ステップＳＴ２１で特定したユニット内の先頭の分類項目を選択し、先頭の分類項目が楽曲データである場合には、それを再生する。
また、ＣＰＵ１７は、上記選択したユニットの１つ下層が楽曲データでない場合には、当該１つ下層の先頭の分類項目の１つ下層の先頭の楽曲データを選択して再生する。
ＣＰＵ１７は、リピートがオンの場合には上記１曲の再生処理を繰り返し、リピートがオフの場合には上記１曲の再生処理を１回のみ行う。
【００４５】
ステップＳＴ２６：
ＣＰＵ１７は、再生モードとして曲シャッフルが選択されているか否かを判断し、曲シャッフルが選択されていると判断するとステップＳＴ２７に進み、そうでない場合にはステップＳＴ２８に進む。
ステップＳＴ２７：
ＣＰＵ１７は、ステップＳＴ２１で特定したユニット内の分類項目（楽曲データでない分類項目）を所定の順で選択し、当該選択した分類項目内の楽曲データをシャッフルパターンで順に選択して再生する。
また、ＣＰＵ１７は、ステップＳＴ２１で特定したユニット内の分類項目が楽曲データである場合には、当該楽曲データをシャッフルパターンで順に選択して再生する。
ＣＰＵ１７は、リピートがオンの場合には上記再生処理を繰り返し、リピートがオフの場合には上記一連の再生処理を１回のみ行う。
【００４６】
ステップＳＴ２８：
ＣＰＵ１７は、再生モードとしてマルチシャッフルが選択されているか否かを判断し、マルチシャッフルが選択されていると判断するとステップＳＴ２９に進み、そうでない場合には処理を終了する。
ステップＳＴ２９：
ＣＰＵ１７は、ステップＳＴ２１で特定したユニット内の分類項目（楽曲データでない項目）をシャッフルパターンで選択し、当該選択した項目内の楽曲データを所定の順で選択して再生する。
また、ＣＰＵ１７は、ステップＳＴ２１で特定したユニット内の分類項目が楽曲データである場合には、当該楽曲データをシャッフルパターンで順に選択して再生する。
ＣＰＵ１７は、リピートがオンの場合には上記再生処理を繰り返し、リピートがオフの場合には上記一連の再生処理を１回のみ行う。
【００４７】
［ユニットオフの場合の再生動作例］
図１１は、図９に示すステップＳＴ１５の動作例を説明するための図である。
以下、図１１に示す各ステップについて説明する。
ステップＳＴ３１：
ＣＰＵ１７は、例えば、図５〜図７を用いて説明した各階層の選曲画面Ｄ１をＬＣＤパネル１４に表示中に、図２に示す十字決定キー２７ｅが押下された場合に、当該表示中の選曲画面Ｄ１内でカーソルが位置を特定する。
【００４８】
ステップＳＴ３２：
ＣＰＵ１７は、再生モードとして通常再生が選択されているか否かを判断し、通常再生が選択されていると判断するとステップＳＴ３３に進み、そうでない場合にはステップＳＴ３４に進む。
ステップＳＴ３３：
ＣＰＵ１７は、ステップＳＴ３１で特定したカーソル位置の分類項目の下層の楽曲データを順に選択して再生する。
ＣＰＵ１７は、リピートがオンの場合には上記再生処理を繰り返し、リピートがオフの場合には上記一連の再生処理を１回のみ行う。
【００４９】
ステップＳＴ３４：
ＣＰＵ１７は、再生モードとして１曲再生が選択されているか否かを判断し、１曲再生が選択されていると判断するとステップＳＴ３５に進み、そうでない場合にはステップＳＴ３６に進む。
ステップＳＴ３５：
ＣＰＵ１７は、ステップＳＴ３１で特定したカーソル位置の下層の楽曲データのうち先頭の１曲の楽曲データを再生する。
ＣＰＵ１７は、リピートがオンの場合には上記１曲の再生処理を繰り返し、リピートがオフの場合には上記１曲の再生処理を１回のみ行う。
【００５０】
ステップＳＴ３６：
ＣＰＵ１７は、再生モードとして曲シャッフルが選択されているか否かを判断し、曲シャッフルが選択されていると判断するとステップＳＴ３７に進み、そうでない場合にはステップＳＴ３８に進む。
ステップＳＴ３７：
ＣＰＵ１７は、ＨＤＤ１３に記憶されている全ての楽曲データをシャッフルパターンで順に選択して再生する。
ＣＰＵ１７は、リピートがオンの場合には上記再生処理を繰り返し、リピートがオフの場合には上記一連の再生処理を１回のみ行う。
【００５１】
ステップＳＴ３８：
ＣＰＵ１７は、再生モードとしてマルチシャッフルが選択されているか否かを判断し、マルチシャッフルが選択されていると判断するとステップＳＴ３９に進み、そうでない場合には処理を終了する。
ステップＳＴ３９：
ＣＰＵ１７は、ＨＤＤ１３に記憶されている全ての楽曲データを、アルバム単位でシャッフル再生する。
ＣＰＵ１７は、リピートがオンの場合には上記再生処理を繰り返し、リピートがオフの場合には上記一連の再生処理を１回のみ行う。
【００５２】
以上説明したように、データ処理装置１によれば、図１０に示すステップＳＴ２６，ＳＴ２７を用いて説明したように、十字決定キー２７ｅが押下されたときに、選曲画面Ｄ１内でカーソルが位置する分類項目の下層の楽曲データを再生対象として選択する。
ここで、ユーザは、通常、選曲画面Ｄ１上で自分が興味のある分類項目にカーソルを位置させる。
そのため、データ処理装置１によれば、選曲画面Ｄ１内でカーソルが位置する分類項目の下層の楽曲データを再生対象として選択することで、何れの再生モードにおいても、ユーザがある程度興味のある楽曲データを自動的に選択して再生できる。
【００５３】
また、データ処理装置１によれば、図１０および図１１等に示すように、再生モードの指定、並びに、ユニットのオン／オフによって、様々な形態のシャッフル再生を行う。これにより、ユーザの好みに応じたシャッフル再生を行うことが可能になる。
【００５４】
また、データ処理装置１によれば、上述したように、ＳＥＲＣＨ／ＭＥＮＵキー２８を、短押しにより第１階層の選曲画面Ｄ１を表示する指示を入力ために用い、長押しによりメニュー画面を表示する指示を入力するために用いる。これにより、操作性を悪くすることなく、少ない操作キーで多様な操作を行うことが可能になる。
【００５５】
本発明は上述した実施形態には限定されない。
上述した実施形態では、シャッフル再生として、曲シャッフルとマルチシャッフルを例示したが、その他、上記決定したユニットをシャッフルパターンで選択し、さらにユニット内の楽曲データもシャッフルパターンで選択して再生してもよい。
【００５６】
上述した実施形態では、ＳＥＲＣＨ／ＭＥＮＵキー２８を、短押しにより第１階層の選曲画面Ｄ１を表示する指示を入力ために用い、長押しによりメニュー画面を表示する指示を入力するために用いたが、それ以外の方法、例えば、データ処理装置１の動作状態などに応じて、ＳＥＲＣＨ／ＭＥＮＵキー２８の機能を切り替えてもよい。
【００５７】
また、上述した実施形態では、本発明を携帯型のオーディオ再生装置に適用した場合を例示したが、本発明はパーソナルコンピュータなどの携帯型以外の装置にも適用可能である。
また、上述した実施形態では、本発明のコンテンツデータとして、楽曲データなどのオーディオデータを例示したが、ビデオや写真などのイメージデータでもよい。
また、本発明において、コンテンツデータを記憶する記録手段として、図１に示すＨＤＤ１３の代わりに、ＭＤ（商標）などの光磁気記録媒体、ＣＤ−Ｒ(CD-recordable)やＤＶＤ−Ｒ(DVD-recordable) などの光記録媒体、メモリースティック（商標）やＳＤカード（商標）などの半導体メモリなどを用いてもよい。
また、上述した実施形態では、データ処理装置１として携帯型のオーディオ再生装置を例示したが、データ処理装置１は、例えば、パーソナルコンピュータ、コンパクトディスクなどの光ディスク再生装置、光磁気ディスク再生装置などであってもよい。
また、本実施形態で説明したＬＣＤパネル１４に表示する画面は、例えば、ヘッドフォンのラインに接続されるリモートコントローラのディスプレイに表示してもよい。
【産業上の利用可能性】
【００５８】
本発明は、コンテンツデータの検索画面を表示する電子機器に適用可能である。
【図面の簡単な説明】
【００５９】
【図１】図１は、本発明の実施形態に係わるデータ処理装置の構成図である。
【図２】図２は、図１に示すデータ処理装置の外観を説明するための図である。
【図３】図３は、図１に示すＬＣＤパネルの画面遷移を説明するための図である。
【図４】図４は、図１にＬＣＤパネルに表示される各種の画面を説明するための図である。
【図５】図５は、図１に示すＬＣＤパネルに表示される選曲画面の階層構造を説明するための図である。
【図６】図６は、図１に示すＬＣＤパネルに表示される選曲画面の遷移を説明するための図である。
【図７】図７は、図１に示すＬＣＤパネルに表示される選曲画面の遷移を説明するための図である。
【図８】図８は、図１に示すデータ処理装置の再生パターンを説明するための図である。
【図９】図９は、図１に示すＬＣＤパネル１４に選曲画面を表示中に十字決定キーが押下された場合のＣＰＵの動作例を説明するためのフローチャートである。
【図１０】図１０は、図９に示すステップＳＴ１４の動作例を説明するための図である。
【図１１】図１１は、図９に示すステップＳＴ１５の動作例を説明するための図である。
【符号の説明】
【００６０】
１…データ処理装置、１０…ＨＤＡ、１１…ＵＳＢインタフェース、１２…ＳＤＲＡＭ、１３…ＨＤＤ、１４…ＬＣＤパネル、１５…入力デバイス、１６…フラッシュメモリ、ＰＲＧ…プログラム、１８…オーディオ出力回路、２１…ヘッドフォン端子、２５…ＭＯＤＥキー、２６…ＶＯＬＵＭキー、２７…十字キー、２７ａ…十字右キー、２７ｂ…十字左キー、２７ｃ…十字上キー、２７ｄ…十字下キー、２７ｅ…十字決定キー、２８…ＳＥＲＣＨ／ＭＥＮＵキー、３０…ＨＯＬＤキー
【図１】
2006252598.tif 000003
【図２】
2006252598.tif 000004
【図３】
2006252598.tif 000005
【図４】
2006252598.tif 000006
【図５】
2006252598.tif 000007
【図６】
2006252598.tif 000008
【図７】
2006252598.tif 000009
【図８】
2006252598.tif 000010
【図９】
2006252598.tif 000011
【図１０】
2006252598.tif 000012
【図１１】
2006252598.tif 000013